【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
基板に設けられた複数の発光手段と、
複数の前記発光手段からの光を拡散する拡散手段と、
複数の前記発光手段の発光制御を行う発光制御手段と、
を備え、
複数の前記発光手段は、基板の実装面に対し平行方向または略平行方向に光を照射可能であり、
前記拡散手段は、透過性部材からなり、前記基板の実装面の少なくとも一部を覆うように設けられ、前記透過性部材の端面に拡散形状で設けられた入射部から複数の前記発光手段からの光を入射可能であり、
前記入射部から入射した光を反射する反射部を有し、
前記反射部にて反射された光は、前記透過性部材における前記基板と反対側の表面から出射され、
前記発光制御手段は、複数の前記発光手段を順次変化させる発光パターンに基づく発光制御が可能である、
ことを特徴とする遊技機。
【手続補正２】
【補正対象書類名】明細書
【補正対象項目名】０００７
【補正方法】変更
【補正の内容】
【０００７】
上記課題を解決するために、手段Ａの遊技機は、
遊技が可能な遊技機であって、
基板に設けられた複数の発光手段と、
複数の前記発光手段からの光を拡散する拡散手段と、
複数の前記発光手段の発光制御を行う発光制御手段と、
を備え、
複数の前記発光手段は、基板の実装面に対し平行方向または略平行方向に光を照射可能であり、
前記拡散手段は、透過性部材からなり、前記基板の実装面の少なくとも一部を覆うように設けられ、前記透過性部材の端面に拡散形状で設けられた入射部から複数の前記発光手段からの光を入射可能であり、
前記入射部から入射した光を反射する反射部を有し、
前記反射部にて反射された光は、前記透過性部材における前記基板と反対側の表面から出射され、
前記発光制御手段は、複数の前記発光手段を順次変化させる発光パターンに基づく発光制御が可能である、
ことを特徴としている。
上記課題を解決するために、手段１の遊技機は、
遊技が可能な遊技機（例えば、パチンコ遊技機１）であって、
基板（例えば、ＬＥＤ基板８０１）に設けられた発光手段（例えば、アングル型ＬＥＤ８１１）と、
前記発光手段からの光を拡散する拡散手段（例えば、光拡散部８０３Ｃが設けられた周壁部８０３Ｂを有する第１インナーレンズ８０３）と、
を備え、
前記発光手段は、前記基板の実装面に対し平行方向または略平行方向に光を照射可能であり（例えば、各アングル型ＬＥＤ８１１は、内側（第１領域８０１Ａの周縁と反対側）に向けて実装面である前面８０１Ｆに対し平行方向または略平行方向、つまり、左右上下方向に光を照射可能に設けられている。）、
前記拡散手段は、前記基板における前記実装面の少なくとも一部を覆うように設けられ、前記発光手段からの光を拡散形状で設けられた入光部から入光可能である（例えば、第１インナーレンズ８０３の板状部８０３Ａは、正面視で第１領域８０１Ａを縮小した相似形状をなしているため、ＬＥＤ基板８０１の前面８０１Ｆにおける第１領域８０１Ａに配置したときに、枠状に配置された複数のアングル型ＬＥＤ８１１により囲まれて、周壁部８０３Ｂがアングル型ＬＥＤ８１１の発光部と対向するようになっている。また、周壁部８０３Ｂの外側面及び前端面には、断面視が一定ピッチの略三角波形状をなす凹凸部からなる光拡散部８０３Ｃが長手方向に向けて形成されており、これにより周壁部８０３Ｂの外側面（入光部）から入射されるアングル型ＬＥＤ８１１からの光が拡散して導光されるとともに、周壁部８０３Ｂの前端面から出射される光が拡散されるようになっている。図２０、図２１参照）
ことを特徴としている。
この特徴によれば、好適に発光させることができる。
【手続補正３】
【補正対象書類名】明細書
【補正対象項目名】０００８
【補正方法】変更
【補正の内容】
【０００８】
手段２の遊技機は、手段１に記載の遊技機であって、
前記拡散手段を覆うように設けられた装飾部材（例えば、第１アウターレンズ８０７）を備え、
前記装飾部材における前記発光手段に対応する位置には透過率が低い特定部が設けられている（例えば、第１アウターレンズ８０７の板状部８０７Ａの前面は平坦面にて形成され、該前面における第１インナーレンズ８０３に対応しない領域、つまり、アングル型ＬＥＤ８１１に対応する領域には、第１インナーレンズ８０３に対応する領域よりも背面側に位置する凹部８０７Ｅが周縁に沿うように枠状に形成されている。また、凹部８０７Ｅに対応する前面には他の部分よりも透過率が低い黒色の非透過層８０７Ｃ（特定部）が形成されており、凹部８０７Ｅから光が前方への出射されないようにしている。図２０及び図２１参照）
ことを特徴としている。
この特徴によれば、好適に発光させることができる。
【手続補正４】
【補正対象書類名】明細書
【補正対象項目名】０００９
【補正方法】変更
【補正の内容】
【０００９】
手段３の遊技機は、手段１または２に記載の遊技機であって、
前記拡散手段は、文字を象った形状であり（例えば、図２０（Ｂ）に示すように、数字の「７」を象った形状をなす板状部８０７Ａは、正面視で第１領域８０１Ａとほぼ同形状をなしている）、
前記発光手段は、前記拡散手段の周縁に沿って複数設けられる（図２０（Ｂ）参照）
ことを特徴としている。
この特徴によれば、文字を好適に発光させることができる。
【手続補正５】
【補正対象書類名】明細書
【補正対象項目名】００１０
【補正方法】変更
【補正の内容】
【００１０】
手段４の遊技機は、手段１〜３のいずれかに記載の遊技機であって、
前記基板（例えば、ＬＥＤ基板８０１）に設けられ前記発光手段（例えば、アングル型ＬＥＤ８１１）とは異なる他の発光手段（例えば、トップ型ＬＥＤ８１２，８１３）と、
前記他の発光手段からの光を拡散する他の拡散手段（例えば、第２インナーレンズ８０４、第２アウターレンズ８０８や第３インナーレンズ８０５、第３アウターレンズ８０９）と、
を備え、
前記他の発光手段は、前記基板の実装面に対し直交する方向に向けて光を照射可能である（例えば、各トップ型ＬＥＤ８１２，８１３は、実装面である前面８０１Ｆに対し垂直方向または略垂直方向、つまり、前方に向けて光を照射可能に設けられている。図２２参照）
ことを特徴としている。
この特徴によれば、演出効果を向上させることができる。
【手続補正６】
【補正対象書類名】明細書
【補正対象項目名】００１１
【補正方法】変更
【補正の内容】
【００１１】
手段５の遊技機は、手段１〜４のいずれかに記載の遊技機であって、
前記発光手段（例えば、アングル型ＬＥＤ８１１）の発光制御を行う発光制御手段（例えば、演出制御用ＣＰＵ１２０）を備え、
前記発光制御手段は、複数の前記発光手段を順次変化させる発光パターンに基づく発光制御が可能である（例えば、演出制御用ＣＰＵ１２０は、複数のアングル型ＬＥＤ８１１を、第１発光表示部８５１の上部側から下部側に向けて順次点灯させる発光パターンに基づく発光演出を行うことが可能である。図２８参照）
ことを特徴としている。
この特徴によれば、演出効果を向上させることができる。
【手続補正７】
【補正対象書類名】明細書
【補正対象項目名】００１２
【補正方法】変更
【補正の内容】
【００１２】
手段６の遊技機は、手段１〜５のいずれかに記載の遊技機であって、
前記発光手段（例えば、アングル型ＬＥＤ８１１）は、白色で発光可能であり、
前記拡散手段（例えば、光拡散部８０３Ｃが設けられた周壁部８０３Ｂを有する第１インナーレンズ８０３）は、有色（例えば、赤色など）の透過性部材にて構成されている（図２６参照）
ことを特徴としている。
この特徴によれば、複数色で発光可能な発光手段を用いなくてもよいので、製造コストを削減することができる。